(57)【要約】【課題】使用環境に応じて適切に画像配信を行うことができるようにする。【解決手段】撮像部２において被写体を撮像して生成された画像データ、または画像記録メモリー３１または外部メディア３２に記憶されている画像データの中から送信する画像データを選択する際に、検出された現在の位置及び制御補助部１２に記憶されているライブ画像送信禁止データに基づいて送信する画像データを選択するようにして、機器動作状況を把握していない場合でも、使用環境に応じて適切に画像配信を簡便かつ確実に行うことができるようにする。【選択図】図１
2007129357.tif 000002
【特許請求の範囲】
【請求項１】
被写体を撮像して撮像データを生成する撮像手段と、
撮像時の本通信機器の撮像位置を検出する位置検出手段と、
第１記憶媒体に記憶されている画像データを読み出す読み出し手段と、
前記位置検出手段により検出された位置に応じて、前記撮像手段によって生成された前記撮像データまたは前記読み出し手段によって読み出された前記画像データのうちから送信するデータを選択する画像選択手段と、
前記画像選択手段によって選択されたデータを送信する送信手段とを有することを特徴とする通信機器。
【請求項２】
前記位置検出手段は、人工衛星から送信される電波に基づいて、前記撮像位置を検出するＧＰＳ装置により構成されていることを特徴とする請求項１に記載の通信機器。
【請求項３】
前記画像選択手段に関する制御情報を記憶している第２記憶媒体と、前記第２記憶媒体に記憶されている制御情報を任意に書き換える制御情報書き換え手段とを有することを特徴とする請求項１または２に記載の通信機器。
【請求項４】
前記画像選択手段の選択履歴に基づいて、前記第２記憶媒体に記憶する制御情報を生成する制御情報生成手段を有し、
前記制御情報書き換え手段は、前記制御情報生成手段により生成された制御情報で前記第２記憶媒体に記憶されている制御情報を書き換えることを特徴とする請求項３に記載の通信機器。
【請求項５】
被写体を撮像して撮像データを生成する撮像工程と、
撮像時の本通信機器の撮像位置を検出する位置検出工程と、
第１記憶媒体に記憶されている画像データを読み出す読み出し工程と、
前記位置検出工程により検出された位置に応じて、前記撮像工程によって生成された前記撮像データまたは前記読み出し工程によって読み出された前記画像データのうちから送信するデータを選択する画像選択工程と、
前記画像選択工程によって選択されたデータを送信する送信工程とを有することを特徴とする通信機器の制御方法。
【請求項６】
前記位置検出工程は、人工衛星から送信される電波に基づいて、前記撮像位置を検出するために設けられているＧＰＳ装置により行われることを特徴とする請求項５に記載の通信機器の制御方法。
【請求項７】
第２記憶媒体に記憶している、前記画像選択工程で画像データを選択するための制御情報を任意に書き換える制御情報書き換え工程を有することを特徴とする請求項５または６に記載の通信機器の制御方法。
【請求項８】
前記画像選択工程の選択履歴に基づいて、前記第２記憶媒体に記憶している制御情報を生成する制御情報生成工程を有し、
前記制御情報書き換え工程は、前記制御情報生成工程により生成された制御情報で前記第２記憶媒体に記憶されている制御情報を書き換えることを特徴とする請求項７に記載の通信機器の制御方法。
【請求項９】
被写体を撮像して撮像データを生成する撮像工程と、
撮像時の本通信機器の撮像位置を検出する位置検出工程と、
第１記憶媒体に記憶されている画像データを読み出す読み出し工程と、
前記位置検出工程により検出された位置に応じて、前記撮像工程によって生成された前記撮像データまたは前記読み出し工程によって読み出された前記画像データのうちから送信するデータを選択する画像選択工程と、
前記画像選択工程によって選択されたデータを送信する送信工程とを有する通信機器の制御方法をコンピュータに実行させることを特徴とするコンピュータプログラム。
【請求項１０】
前記請求項９に記載のコンピュータプログラムを記録したことを特徴とするコンピュータ読み取り可能な記録媒体。
【発明の詳細な説明】
【技術分野】
【０００１】
本発明は通信機器、通信機器の制御方法、コンピュータプログラム及び記録媒体に関し、例えば通信機器で画像を送信する際に用いて好適な技術に関する。
【背景技術】
【０００２】
近年、携帯電話に代表される携帯通信端末においては、多画素の撮像素子を備えたカメラユニットや、大型で視認性に優れた液晶表示パネルを搭載した携帯通信端末の普及が著しい。こうした高機能な携帯通信端末では、通話元から画像を送信すると同時に、通話先から受信した受信画像を液晶画面に表示しながら通話を行うようなＴＶ通話が可能である。
【０００３】
このＴＶ通話は、通話対象者の認識が容易であることや、表情や周囲状況の伝達性が良好なことなど、従来の音声通話にはない優れた特徴を有する。しかし、機密情報や個人情報が不用意に流出したり、不適切な画像が即時に送信されたりするなどといった問題も存在する。
【０００４】
このような問題に鑑み、撮像部で撮像されたライブ画像と、予め内部メモリー等に格納されている記録画像とを通話前あるいは通話時に機器使用者が任意に切り替えて送信することができる通信機器も提案されている（特許文献１参照）。
【０００５】
【特許文献１】特開２００３−１５８７２７号公報
【発明の開示】
【発明が解決しようとする課題】
【０００６】
しかしながら、特許文献１に記載されている切り替え手段は通話時における機器使用者の判断に依存せざるを得ないために、画像配信を確実に管理することは非常に困難であった。
【０００７】
本発明は前述の問題点に鑑み、使用環境に応じて画像配信を適切に行うことができるようにすることを目的としている。
【課題を解決するための手段】
【０００８】
本発明の通信機器は、被写体を撮像して撮像データを生成する撮像手段と、撮像時の本通信機器の撮像位置を検出する位置検出手段と、第１記憶媒体に記憶されている画像データを読み出す読み出し手段と、前記位置検出手段により検出された位置に応じて、前記撮像手段によって生成された前記撮像データまたは前記読み出し手段によって読み出された前記画像データのうちから送信するデータを選択する画像選択手段と、前記画像選択手段によって選択されたデータを送信する送信手段とを有することを特徴とする。
【０００９】
本発明の通信機器の制御方法は、被写体を撮像して撮像データを生成する撮像工程と、撮像時の本通信機器の撮像位置を検出する位置検出工程と、第１記憶媒体に記憶されている画像データを読み出す読み出し工程と、前記位置検出工程により検出された位置に応じて、前記撮像工程によって生成された前記撮像データまたは前記読み出し工程によって読み出された前記画像データのうちから送信するデータを選択する画像選択工程と、前記画像選択工程によって選択されたデータを送信する送信工程とを有することを特徴とする。
【００１０】
本発明のコンピュータプログラムは、被写体を撮像して撮像データを生成する撮像工程と、撮像時の本通信機器の撮像位置を検出する位置検出工程と、第１記憶媒体に記憶されている画像データを読み出す読み出し工程と、前記位置検出工程により検出された位置に応じて、前記撮像工程によって生成された前記撮像データまたは前記読み出し工程によって読み出された前記画像データのうちから送信するデータを選択する画像選択工程と、前記画像選択工程によって選択されたデータを送信する送信工程とを有する通信機器の制御方法をコンピュータに実行させることを特徴とする。
【００１１】
本発明の記録媒体は、前記に記載のコンピュータプログラムを記録したことを特徴とする。
【発明の効果】
【００１２】
本発明によれば、撮像時の通信機器の位置に基づいて送信する画像データが選択されるようにしたので、機器動作状況が把握されていない場合でも、使用環境に応じた適切な画像配信を簡便にかつ確実に行うことができる。
【発明を実施するための最良の形態】
【００１３】
（第１の実施形態）
以下、図面を参照して、本発明における実施形態の一例を説明する。
図１は、本実施形態の通信端末の機能構成例を示すブロック図である。通信端末１００は、制御回路部１、撮像部２、画像記録部３、通話信号入出力部４、表示部５、操作部６、無線送受信部７、無線通信アンテナ８、ＧＰＳ情報受信部９及びＧＰＳ情報受信アンテナ１０から構成されている。
【００１４】
制御回路部１は、ＣＰＵ１１と制御補助部１２とを備え、制御補助部１２は、各種情報データを格納するＲＯＭ１３及びＲＡＭ１４を備えている。ＲＡＭ１４にはＧＰＳ情報受信部９から取得した位置情報に基づいて参照されるライブ画像送信禁止データが書き込まれている。このライブ画像送信禁止データは、撮像部２から出力されるライブ画像を通話時において送信禁止とする地点の緯度及び経度に関する情報である。
【００１５】
撮像部２は、撮像光学系と固体撮像素子とを含むカメラ部２１と、カメラ信号処理回路２２とを備えており、カメラ部２１から出力された画像データをカメラ信号処理回路２２によりデジタル変換及び符号化して制御回路部１に送る。
【００１６】
画像記録部３は、画像記録メモリー３１と、外部メディア３２とを備えており、撮像部２または無線送受信部７から出力される画像データを保存したり、通話時における制御回路部１へ再生画像を送信したりする。
【００１７】
通話信号入出力部４は、マイク４１と、スピーカー４２と、ＰＣＭコーデック４３とを備えており、マイク４１に入力された音声信号をデジタル変換し、制御回路部１に送る。また、制御回路部１から送信された音声情報をアナログ変換し、スピーカー４２に出力する。
【００１８】
表示部５は、液晶表示部５１と表示制御回路５２とを備えている。表示制御回路５２は、制御回路部１から送られる画像データに基づき液晶表示部５１に画像を出力する。
【００１９】
操作部６は、電話番号や文字情報などを入力するダイヤルキー６１と、ＲＡＭ１４への画像選択基準データの追加または削除を行う位置データ修正キー６２とを備えている。さらに、通話動作の送受信を終了するフックキー６３と、各種選択または決定を行う選択キー６４と、入力された各種キーの情報を制御回路部１に送るキー入力制御回路６５を備えている。
【００２０】
無線送受信部７は、無線通信アンテナ８により送受信される信号を変調または復調する回路を備えており、制御回路部１へ送受信データの授受を行う。ＧＰＳ情報受信部９は、ＧＰＳ受信アンテナ１０に複数のＧＰＳ衛星から受信された識別信号に基づいて現在位置を算出する位置検出回路を備えている。
【００２１】
以上のように構成された通信端末１００では、通話が開始されると、制御回路部１が送信画像選択ルーチンを実行する。以下、送信画像選択ルーチンについて、図２に基づいて説明する。
【００２２】
図２は、本実施形態における送信する画像を選択する手順の一例を示すフローチャートである。
まず、ステップＳ１０１において、ＧＰＳ受信アンテナ１０がＧＰＳ識別信号を受信すると、ステップＳ１０２において、ＧＰＳ情報受信部９は現在地の緯度／経度を算出する。
【００２３】
次に、ステップＳ１０３において、ＧＰＳ情報受信部９から送信された位置情報とＲＡＭ１４に書き込まれているライブ画像送信禁止データの緯度／経度の情報とを対比し、撮像部２から出力されるライブ画像の送信可否情報を生成する。次に、ステップＳ１０４において、ライブ画像を送信することができるか否かを判断する。この判断の結果、ライブ画像を送信することができる場合は、ステップＳ１０５に進み、撮像部２において生成された画像データを無線送受信部７から外部機器に送信する。
【００２４】
一方、ステップＳ１０４の判断の結果、ライブ画像を送信することができない場合は、ステップＳ１０６に進み、画像記録部３から任意に選択／再生された記録画像を無線送受信部７から外部機器に送信する。
【００２５】
次に、ステップＳ１０７において、通話終了を指示するフックキー６３が押下されたか否かを判断する。この判断の結果、フックキー６３が押下された場合は、通話回線を遮断し、処理を終了する。一方、ステップＳ１０７の判断の結果、フックキー６３が押下されていない場合は、ステップＳ１０１に回帰して処理を継続する。
【００２６】
また、本実施形態の通信端末１００は、ライブ画像を送信することができるか否かを判断するライブ画像送信禁止データをＧＰＳ情報に基づいて任意に追加／削除することができる。以下、ライブ画像送信禁止データを追加／削除するルーチンについて、図３とともに説明する。
【００２７】
図３は、本実施形態におけるライブ画像送信禁止データを追加／削除する手順の一例を示すフローチャートである。
まず、位置データ修正キー６２の押下が検出されると、ステップＳ２０１において、液晶表示部５１にデータの追加／削除のメニューを表示する。次に、ステップＳ２０２において、各種選択／決定を行う選択キー６４によりデータの追加が指示されたのかもしくはデータの削除が指示されたのかを判断する。
【００２８】
この判断の結果、データの追加が指示された場合は、ステップＳ２０３において、ＧＰＳ情報を受信し、ステップＳ２０４において、現在の位置を検出する。次に、ステップＳ２０５において、現在の位置でライブ画像を送信することを禁止する確定要求を液晶表示部５１に表示する。
【００２９】
次に、ステップＳ２０６において、ライブ画像を送信することを禁止するか否かを判断する。この判断の結果、ライブ画像を送信することを禁止した場合は、ステップＳ２０７に進み、ＧＰＳ情報の緯度／経度データをライブ画像送信禁止データとしてＲＡＭ１４に書き込む。また、ステップＳ２０６の判断の結果、ライブ画像を送信することを禁止しない場合は、そのまま処理を終了する。
【００３０】
一方、ステップＳ２０２の判断の結果、データの削除が指示された場合は、ステップＳ２０８に進み、液晶表示部５１に削除データの選択表示を行う。次に、ステップＳ２０９において、選択キー６４の操作によってデータが選択されると、ステップＳ２１０において、削除確定の確認要求を表示し、選択されたデータを削除するか否かを判断する。
【００３１】
この判断の結果、データを削除する場合は、ステップＳ２１１に進み、選択されたデータをＲＡＭ１４から削除する。一方、ステップＳ２１０の判断の結果、データを削除しない場合は、そのまま処理を終了する。
【００３２】
以上に説明したように、本実施形態の通信端末１００によれば、ＧＰＳ情報とＲＡＭ１４に予め格納されたライブ画像送信禁止データとに基づいて、撮像部２で生成されたライブ画像を送信することができるか否かを自動的に判断することができる。さらに、ライブ画像送信禁止データについては、キー操作により任意に修正を施すことができるため、使用者は通話状況に応じて柔軟に設定することが可能である。
【００３３】
なお、本実施形態では、ライブ画像送信禁止データを追加／削除する方法として、操作キーの入力に基づいた制御を用いているが、他の方法を用いてもよい。例えば、通話時に送信する画像として選択された画像形式（ライブ画像または再生画像）の履歴情報と通話を行った地点のＧＰＳ情報とを関連付けしたデータを作成し、そのデータに基づいてライブ画像送信禁止データを生成する方法を用いてもよい。
【００３４】
（本発明に係る他の実施形態）
前述した本発明の実施形態における通信機器を構成する各手段、並びに通信機器の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３５】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００３６】
なお、本発明は、前述した実施形態の機能を実現するソフトウェアのプログラム（実施形態では図２、３に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００３７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００３８】
その場合、プログラムの機能を有していれば、オブジェクトコード、インタプリタにより実行されるプログラム、ＯＳに供給するスクリプトデータ等の形態であってもよい。
【００３９】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリーカード、ＲＯＭ、ＤＶＤ（ＤＶＤ−ＲＯＭ、ＤＶＤ−Ｒ）などもある。
【００４０】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４２】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４３】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４４】
さらに、その他の方法として、まず記録媒体から読み出されたプログラムが、コンピュータに挿入された機能拡張ボードやコンピュータに接続された機能拡張ユニットに備わるメモリーに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４５】
【図１】本発明の第１の実施形態の通信端末の機能構成例を示すブロック図である。
【図２】本発明の第１の実施形態における送信する画像を選択する手順の一例を示すフローチャートである。
【図３】本発明の第１の実施形態におけるライブ画像送信禁止データを追加／削除する手順の一例を示すフローチャートである。
【符号の説明】
【００４６】
１  制御回路部
２  撮像部
３  画像記録部
４  通話信号入出力部
５  表示部
６  操作部
７  無線送受信部
８  無線通信アンテナ
９  ＧＰＳ情報受信部
１０  ＧＰＳ受信アンテナ
１１  ＣＰＵ
１２  制御補助部
１３  ＲＯＭ
１４  ＲＡＭ
２１  カメラ部
２２  カメラ信号処理回路
３１  画像記録メモリー
３２  外部メディア
４１  マイク
４２  スピーカー
４３  ＰＣＭコーデック
５１  液晶表示部
５２  表示制御回路
６１  ダイヤルキー
６２  位置データ修正キー
６３  フックキー
６４  選択キー
６５  キー入力制御回路
１００  通信端末
【図１】
2007129357.tif 000003
【図２】
2007129357.tif 000004
【図３】
2007129357.tif 000005